(57)【要約】【課題】通信可能な健康測定機器を登録するためのユーザインタフェースを備えずに簡単に健康測定機器を登録することのできる健康測定データ中継装置およびそれに健康データを送る健康測定装置を提供する【解決手段】健康測定データ中継装置は、健康測定機器と通信を行う第１の通信手段と、インターネット通信を行う第２の通信手段と、通信可能な健康測定機器の機器識別情報を記憶している第１の記憶手段と、第１の通信手段で受信した機器識別情報と第１の記憶手段に記憶している機器識別情報とを照合する照合手段と、自身の装置識別情報を表示する第１の表示手段と、第２の通信手段で受信した機器識別情報を含むメールを解析して含まれる機器識別情報を抽出し、且つ、第１の記憶手段に該機器識別情報が記憶されていない場合には第１の記憶手段に該機器識別情報を記憶するメール解析手段と、を備える。【選択図】図１
2008229124.tif 000002
【特許請求の範囲】
【請求項１】
健康測定機器と通信を行う第１の通信手段と、
インターネット通信を行う第２の通信手段と、
通信可能な上記健康測定機器の機器識別情報が記憶されている第１の記憶手段と、
上記第１の通信手段で受信した機器識別情報と上記第１の記憶手段に記憶されている機器識別情報とを照合する照合手段と、
上記第２の通信手段で受信した機器識別情報を含むメールを解析するメール解析手段と、
自身の装置識別情報を表示する第１の表示手段と、
を備え、
上記メール解析手段は、上記第２の通信手段で受信した機器識別情報を含むメールを解析して含まれる機器識別情報を抽出し、且つ、上記第１の記憶手段に該機器識別情報が記憶されていない場合には上記第１の記憶手段に該機器識別情報を記憶することを特徴とする健康測定データ中継装置。
【請求項２】
上記照合手段は、上記第１の通信手段で対の機器識別情報と健康データを受信したとき、受信した機器識別情報が上記第１の記憶手段に記憶されている機器識別情報に一致した場合だけ、該機器識別情報と対をなす健康データを上記第２の通信手段に送り、
上記第２の通信手段は、受けた健康データをインターネット上の所定のアドレスに送信することを特徴とする請求項１に記載の健康測定データ中継装置。
【請求項３】
上記第１の表示手段は、電子的に読み取れる装置識別情報を表示することを特徴とする請求項１または２に記載の健康測定データ中継装置。
【請求項４】
請求項１乃至３のいずれか一項に記載の健康測定データ中継装置に健康データを送信する健康測定機器であって、
自身の機器識別情報が記憶されている第２の記憶手段と、
身体を測定し健康データを出力する測定手段と、
上記測定手段が出力する健康データと上記第２の記憶手段に記憶されている機器識別情報を組み合わせて上記健康測定データ中継装置に送る第３の通信手段と、
上記機器識別情報を表示する第２の表示手段と、
を備えることを特徴とする健康測定機器。
【請求項５】
上記第２の表示手段は、電子的に読み取れる機器識別情報を表示することを特徴とする請求項４に記載の健康測定機器。
【発明の詳細な説明】
【技術分野】
【０００１】
この発明は、家庭などで測定した健康データをデータサーバに中継する健康測定データ中継装置およびそれに健康データを送る健康測定機器に関するものである。
【背景技術】
【０００２】
無線回線により接続される健康測定機器と健康測定データ中継装置は、家庭内で使用する場合、健康測定データ中継装置には、接続される健康測定機器を特定できる機器識別情報が登録されていなければならない。なぜなら、集合住宅など隣り合う家庭で共に同じシステムを導入した場合、健康測定機器から出力される健康データが隣の家の健康測定データ中継装置に送信される可能性があるためである。
そして、機器識別情報を登録する方法として、健康測定データ中継装置を受信状態に維持し、健康測定機器から識別のための固有情報を持つ登録信号を送信し、健康測定データ中継装置は受信した機器識別情報を登録する方法がある（例えば、特許文献１または特許文献２参照）。
例えば、健康測定機器を健康測定データ中継装置に登録するとき、登録が可能な状態にするために、特定のスイッチを押下し、健康測定機器から登録情報が送信され、登録が完了した時点でＬＥＤなどを点灯するという簡素なユーザインタフェースを使う方法がある。
【０００３】
【特許文献１】特開２００６−３９９１号公報
【特許文献２】特開２００６−２６２０８号公報
【発明の開示】
【発明が解決しようとする課題】
【０００４】
しかし、この方法では、測定者が登録の方法を分かっていないと登録することができないという問題がある。
また、使い勝手を良くするために健康測定データ中継装置のユーザインタフェースを充実させると、装置自体のコストが上昇したり、消費電力が増大したりという問題がある。
【０００５】
この発明の目的は、通信可能な健康測定機器を登録するためのユーザインタフェースを備えずに簡単に健康測定機器を登録することのできる健康測定データ中継装置およびそれに健康データを送る健康測定装置を提供することである。
【課題を解決するための手段】
【０００６】
この発明に係る健康測定データ中継装置は、健康測定機器と通信を行う第１の通信手段と、インターネット通信を行う第２の通信手段と、通信可能な上記健康測定機器の機器識別情報が記憶されている第１の記憶手段と、上記第１の通信手段で受信した機器識別情報と上記第１の記憶手段に記憶されている機器識別情報とを照合する照合手段と、上記第２の通信手段で受信した機器識別情報を含むメールを解析するメール解析手段と、自身の装置識別情報を表示する第１の表示手段と、を備え、上記メール解析手段は、上記第２の通信手段で受信した機器識別情報を含むメールを解析して含まれる機器識別情報を抽出し、且つ、上記第１の記憶手段に該機器識別情報が記憶されていない場合には上記第１の記憶手段に該機器識別情報を記憶する。
【発明の効果】
【０００７】
この発明に係る健康測定データ中継装置の効果は、通信可能な健康測定機器を登録するためのユーザインタフェースを具備していなくても、新たに通信可能な健康測定機器を登録することができる。また、ユーザが一般的に所持しているカメラ付携帯電話機の撮影機能およびメール機能を使うだけで、通信可能な健康測定機器を登録することができるので、ユーザに専用の知識を求めなくても良い。
【発明を実施するための最良の形態】
【０００８】
図１は、この発明の実施の形態による健康測定システムの構成図である。
この発明の実施の形態による健康測定システムは、サービスプロバイダ３が提供するサービスを受けるためのシステムであり、このサービスは、家庭２内で測定した健康データをサービスプロバイダ３が設置するデータサーバ４に記憶することである。
そして、この発明の実施の形態による健康測定システムは、体重、血圧、体脂肪率などの健康データを測定するための体重計、血圧計、体脂肪計などの健康測定機器５、健康測定機器５で測定した健康データを収集しデータサーバ４に中継する健康測定データ中継装置としての宅内ゲートウエイ６、健康データを記憶するデータサーバ４を備える。
【０００９】
また、この発明の実施の形態による健康測定システムでは、健康測定機器５と宅内ゲートウエイ６との間で無線９による通信が行われ、宅内ゲートウエイ６とデータサーバ４との間でインターネット１０を介する通信が行われる。
【００１０】
また、この発明の実施の形態による健康測定システムは、宅内ゲートウエイ６が健康測定機器５からの健康データを受信できるように登録するときに必要となるカメラ付携帯電話機１１を備える。なお、携帯電話サービスを提供する携帯電話会社は携帯電話網を構築しインターネット１０と接続している。
インターネット１０に接続するデータサーバ４、宅内ゲートウエイ６およびカメラ付携帯電話機１１には、ＩＰアドレスが割り当てられている。
【００１１】
健康測定機器５は、健康データを測定する測定手段２１、健康データを測定するときに測定者を家族内で識別する家族内識別情報設定手段としてのユーザインタフェース２２、自身に割り当てられた機器識別情報を記憶する第２の記憶手段としての機器識別情報記憶手段２３、宅内ゲートウエイ６と無線通信する第３の通信手段２４を備える。
ユーザインタフェース２２は、例えば４個の押しボタンからなり、例えば、父親に第１の押しボタン、母親に第２の押しボタン、長男に第３の押しボタン、長女に第４の押しボタンを割り当てることができる。
機器識別情報記憶手段２３は、自身に割り当てられた機器識別情報を記憶する。
【００１２】
第３の通信手段２４は、健康データの測定が完了すると、押されている押しボタンから家族内識別情報としての家族内ＩＤを特定する。例えば、第１の押しボタンが押されているとき「００」、第２の押しボタンが押されているとき「０１」、第３の押しボタンが押されているとき「１０」、第４の押しボタンが押されているとき「１１」が家族内ＩＤとして特定される。
また、第３の通信手段２４は、特定した家族内ＩＤ、測定した健康データおよび機器識別情報記憶手段２３に記憶されている機器識別情報を組にして宅内ゲートウエイ６に送信する。
【００１３】
図２（ａ）には、健康測定機器５の一種である体重計にＱＲコードを付けた例である。
また、健康測定機器５は、自身を他の健康測定機器５から区別するための機器識別情報が割り当てられており、割り当てられた機器識別情報が、図２（ａ）に示すような、ステッカ上に第２の表示手段としてのＱＲコード２５により表示され、ステッカが健康測定機器５のカメラ付携帯電話機１１で撮影できる位置に貼られている。なお、第２の表示手段としてＱＲコード２５以外に、２次元コードであるＤａｔａ  Ｍａｔｒｉｘコード、ＰＤＦ４１７コード、Ｍａｘｉ  Ｃｏｄｅコード、Ｖｅｒｉ  Ｃｏｄｅコードであっても良い。また、２次元コード以外にバーコード、テキストなどであっても良い。
【００１４】
宅内ゲートウエイ６は、健康測定機器５と無線による通信を行う第１の通信手段２６、インターネット１０を介した通信を行う第２の通信手段２７、通信可能な健康測定機器５の機器識別情報が記憶されている第１の記憶手段としての登録機器記憶手段２８、家族内ＩＤに対応する第１の測定者識別情報としての加入者ＩＤが予め登録されている家族内ＩＤ−加入者ＩＤ対応表が記憶されている対応表記憶手段２９を有する。
また、宅内ゲートウエイ６は、新たに通信可能な健康測定機器を登録するメール解析手段としての機器登録手段３０、第１の通信手段２６で健康測定機器５から送信される機器識別情報と登録機器記憶手段２８に記憶されている機器識別情報とを照合する照合手段３１、第１の通信手段２６で健康測定機器５から送信される家族内ＩＤを用いて対応表記憶手段２９に記憶される家族内ＩＤ−加入者ＩＤ対応表を検索して加入者ＩＤを抽出する検索手段３２を有する。
【００１５】
図２（ｂ）には、宅内ゲートウエイ６にＱＲコードを付けた例である。
また、宅内ゲートウエイ６は、自身を他の宅内ゲートウエイ６から区別するための装置識別情報が割り当てられており、割り当てられた装置識別情報が、図２（ｂ）に示すように、ステッカ上に第１の表示手段としてのＱＲコード３３により表示され、ステッカが宅内ゲートウエイ６のカメラ付携帯電話機１１で撮影できる位置に貼られている。なお、第１の表示手段としてＱＲコード３３以外に、２次元コードのＤａｔａ  Ｍａｔｒｉｘコード、ＰＤＦ４１７コード、Ｍａｘｉ  Ｃｏｄｅコード、Ｖｅｒｉ  Ｃｏｄｅコードであっても良い。また、２次元コード以外にバーコード、テキストなどであっても良い。
【００１６】
家族内ＩＤ−加入者ＩＤ対応表には、家族内ＩＤと加入者ＩＤが対応付けられて登録されている。例えば、家族内ＩＤ「００」に対して加入者ＩＤ「ＡＡＡＡＡＡ」、家族内ＩＤ「０１」に対して加入者ＩＤ「ＢＢＢＢＢＢ」、家族内ＩＤ「１０」に対して加入者ＩＤ「ＣＣＣＣＣＣ」、家族内ＩＤ「１１」に対して加入者ＩＤ「ＤＤＤＤＤＤ」が対応付けられている。
【００１７】
検索手段３２は、第１の通信手段２６で受信した家族内ＩＤを用いて家族内ＩＤ−加入者ＩＤ対応表を検索する。例えば、受信した家族内ＩＤが「１０」のときには加入者ＩＤとして「ＣＣＣＣＣＣ」が抽出される。
第２の通信手段２７は、第１の通信手段２６で受信した機器識別情報に一致する機器識別情報が登録機器記憶手段２８に記憶されているとき、第１の通信手段２６で受信した健康データと抽出した加入者ＩＤとを対にしてデータサーバ４のＩＰアドレスに送信する。
また、第２の通信手段２７は、インターネット１０を経由して自身のＩＰアドレスに送られてきたメールを受信する。
【００１８】
機器登録手段３０は、第２の通信手段２７で受信したメールから添付されている機器識別情報を抽出し、抽出した機器識別情報が登録機器記憶手段２８に既に記憶されているか否かを調べ、既に記憶されているときには抽出した機器識別情報を廃棄し、記憶されていないときには抽出した機器識別情報を登録機器記憶手段２８に記憶する。
【００１９】
データサーバ４は、インターネット１０を介して宅内ゲートウエイ６と通信を行う第４の通信手段３５、加入の申請をサービスプロバイダが受理したとき、サービスプロバイダが加入者ＩＤのために領域が設定され、その領域に健康データが加入者ＩＤ毎に記憶される第３の記憶手段３６、第４の通信手段で受信した加入者ＩＤに基づいて第３の記憶手段３６の記憶領域に、加入者ＩＤと対で受信した健康データを書き込む書込処理手段３７を有する。
【００２０】
カメラ付携帯電話機１１は、付いているカメラを用いて画像データを取り込む機能、ＱＲコードを撮影した画像データからＱＲコードで表されている情報を電子情報に変換する変換機能および電子メール機能を有している。
【００２１】
次に、測定された健康データがデータサーバ４に記憶されるまでの流れを説明する。
測定者は、自分に割り当てられた押しボタンを押してから健康測定機器を用いて測定を開始する。健康測定機器５は、健康データを得たら、押しボタンから得る家族内ＩＤ、健康データおよび機器識別情報を組にして宅内ゲートウエイ６に送信する。宅内ゲートウエイ６は、受信した機器識別情報と一致する機器識別情報が登録機器識別情報記憶手段に有るか否かを判断する。ないときには受信した組の情報を廃棄する。有るときには、受信した家族内ＩＤを用いて家族内ＩＤー加入者ＩＤ対応表を検索する。家族内ＩＤに対応する加入者ＩＤがないときには組の情報を廃棄する。家族内ＩＤに対応する加入者ＩＤがあるときには、健康データと加入者ＩＤを対にしてデータサーバ４に送信する。データサーバ４は、加入者ＩＤのための記憶領域に健康データを記憶する。
【００２２】
次に、新たに健康測定機器５を購入し利用を開始するために必要となる宅内ゲートウエイ６に当該健康測定機器５を登録する手順を説明する。
宅内ゲートウエイ６に貼られているステッカのＱＲコードをカメラ付携帯電話機１１で撮影し、撮影して得た画像データから宅内ゲートウエイ６に割り当てられているＩＰアドレスを求め、求めたＩＰアドレスをカメラ付携帯電話機１１のメールアプリケーションで作成するメールの宛先に入力する。
次に、健康測定機器５に貼られているステッカのＱＲコードをカメラ付携帯電話機１１で撮影し、撮影して得た画像データから健康測定機器５に割り当てられた機器識別情報を求め、メールアプリケーションで作成するメールに添付する。
次に、カメラ付携帯電話機１１は、作成したメールを送信する。
宅内ゲートウエイ６は、機器識別情報が添付されたメールを受信し、添付されている機器識別情報が機器識別情報記憶手段に既に記憶されているか否かを調べ、既に記憶されているときには添付されていた機器識別情報を廃棄し、記憶されていないときには添付されていた機器識別情報を機器識別情報記憶手段に記憶する。
このようにして新たな健康測定機器５が宅内ゲートウエイ６と通信可能となるので、新たな健康測定機器５で測定して得た健康データがデータサーバ４に記憶することができる。
【００２３】
この発明に係る健康測定データ中継装置は、通信可能な健康測定機器５を登録するためのユーザインタフェースを具備していなくても、新たに通信可能な健康測定機器を登録することができる。
また、ユーザが一般的に所持しているカメラ付携帯電話機１１の撮影機能およびメール機能を使うだけで、通信可能な健康測定機器５を健康測定データ中継装置に登録することができるので、ユーザに専用の知識を求めなくても良い。
また、カメラ付携帯電話機１１で電子的に読み取れるＱＲコードにより機器識別情報が表示され、読み取った機器識別情報をメールに添付するので、メールを作成するときに機器識別情報をキーボードから入力するときに起こり得る誤入力によるトラブルを避けることができる。
機器識別情報が登録されている健康測定データ中継装置との間だけで通信が行われるので、通信範囲が重なり合うような集合住宅でも、自宅の健康測定機器５で測定した健康データが隣接する住宅の健康測定データ中継装置で受信されることはない。
【図面の簡単な説明】
【００２４】
【図１】この発明の実施の形態による健康測定システムの構成図である。
【図２】この発明の実施の形態による健康測定データ中継装置および健康測定機器に付けられたＱＲコードの例である。
【符号の説明】
【００２５】
２  家庭、３  サービスプロバイダ、４  データサーバ、５  健康測定機器、６  宅内ゲートウエイ、９  無線、１０  インターネット、１１  カメラ付携帯電話機、２１  測定手段、２２  ユーザインタフェース、２３  機器識別情報記憶手段、２４  第３の通信手段、２５、３３  ＱＲコード、２６  第１の通信手段、２７  第２の通信手段、２８  登録機器記憶手段、２９  対応表記憶手段、３０  機器登録手段、３１  照合手段、３２  検索手段、３５  第４の通信手段、３６  第３の記憶手段、３７  書込処理手段。
【図１】
2008229124.tif 000003
【図２】
2008229124.tif 000004